(57)【要約】曲線状の脚部カフスを有するパンツ型吸収性衣類は、ガスケット型の適合性を有する。吸収性衣類のシャーシは、シャーシ内の曲線状の切取り部で、第１及び第２の脚開口を定める。結合部分は、２つの弾性ストランドの各々の第１の部分と第２の部分との間に置かれている。この結合部分は、曲線状の切取り部の周縁で第１と第２の脚開口に結合され、それにより洗練された継ぎ目を形成している。弾性ストランドの第２の部分は、巻込み縁を形成することができる。結果として得られる吸収性衣類は、脚開口周りに、快適な、ガスケット型の適合性及び美学的に美しい洗練された外観を有する。
2004520861.tif 000002
【特許請求の範囲】
【請求項１】
脚部カフスと基材とを含む組合せであって、
脚部カフスが第１の部分と、第２の部分と、前記第１の部分と前記第２の部分との間の結合部分とを有し、
前記結合部分が、前記基材の切取り部の周縁で該基材に結合され、前記第２の部分が、前記基材から突出していることを特徴とする組合せ。
【請求項２】
前記脚部カフスが、伸張性材料を含むことを特徴とする、請求項１に記載の組合せ。
【請求項３】
前記基材が、伸張性材料を含むことを特徴とする、請求項１に記載の組合せ。
【請求項４】
前記基材が、吸収性衣類の外側カバーを含むことを特徴とする、請求項１に記載の組合せ。
【請求項５】
前記基材が、吸収性衣類のライナーを含むことを特徴とする、請求項１に記載の組合せ。
【請求項６】
前記脚部カフスの第２の部分が、巻込み縁を含むことを特徴とする、請求項１に記載の組合せ。
【請求項７】
前記切取り部が、曲線状であることを特徴とする、請求項１に記載の組合せ。
【請求項８】
前記脚部カフスが、約１センチメートルから約１３センチメートルまでの範囲内の幅を有することを特徴とする、請求項１に記載の組合せ。
【請求項９】
前記脚部カフスが、約２．５センチメートルから約１０センチメートルまでの範囲内の幅を有することを特徴とする、請求項１に記載の組合せ。
【請求項１０】
前記脚部カフスが、約４センチメートルから約６センチメートルまでの範囲内の幅を有することを特徴とする、請求項１に記載の組合せ。
【請求項１１】
前記第２の部分が、約０．６センチメートルから約１０センチメートルまでの範囲内の幅を有することを特徴とする、請求項１に記載の組合せ。
【請求項１２】
前記第２の部分が、約１センチメートルから約７．５センチメートルまでの範囲内の幅を有することを特徴とする、請求項１に記載の組合せ。
【請求項１３】
前記第２の部分が、約２．５センチメートルから約５センチメートルまでの範囲内の幅を有することを特徴とする、請求項１に記載の組合せ。
【請求項１４】
前記結合部分が、約１ミリメートルから約２５ミリメートルまでの範囲内の幅を有することを特徴とする、請求項１に記載の組合せ。
【請求項１５】
前記結合部分が、約３ミリメートルから約１２ミリメートルまでの範囲内の幅を有することを特徴とする、請求項１に記載の組合せ。
【請求項１６】
前記結合部分は、約４ミリメートルから約８ミリメートルまでの範囲内の幅を有することを特徴とする、請求項１に記載の組合せ。
【請求項１７】
請求項１に記載の組合せを含むおむつ。
【請求項１８】
請求項１に記載の組合せを含むトレーニングパンツ。
【請求項１９】
請求項１に記載の組合せを含む水着。
【請求項２０】
請求項１に記載の組合せを含む失禁用製品
【請求項２１】
ウェスト開口と第１及び第２の脚開口とを定め、前記第１及び第２の足開口が曲線状の切取り部により形成されるシャーシと、
それぞれが第１の部分と、第２の部分と、該第１の部分と該第２の部分との間の結合部分とを有する少なくとも２つの曲線状の脚部カフスと、
を含み、
各脚カフスの前記結合部分が、曲線状の切取り部の１つの周縁で前記シャーシに結合され、各脚カフスの前記第２の部分が、前記シャーシから突出していることを特徴とする吸収性衣類。
【請求項２２】
前記シャーシが、伸張可能な材料を含むことを特徴とする、請求項２１に記載の吸収性衣類。
【請求項２３】
前記シャーシが、外側カバー層とライナー層とを含むことを特徴とする、請求項２１に記載の吸収性衣類。
【請求項２４】
各曲線状の脚部カフスの前記結合部分が、前記外側カバー層に結合されていることを特徴とする、請求項２３に記載の吸収性衣類。
【請求項２５】
各曲線状の脚部カフスの前記結合部分が、前記ライナー層に結合されていることを特徴とする、請求項２３に記載の吸収性衣類。
【請求項２６】
各曲線状の脚部カフスの前記第２の部分が、巻込み縁を含むことを特徴とする、請求項２１に記載の吸収性衣類。
【請求項２７】
各脚部カフスの前記第１の部分が、各脚部カフスの前記第１の部分と前記第２の部分の組合せの約０％から約５０％の間を含むことを特徴とする、請求項２１に記載の吸収性衣類。
【請求項２８】
各脚部カフスの前記第２の部分が、各脚部カフスの前記第１の部分と前記第２の部分の組合せの約５０％から約１００％の間を含むことを特徴とする、請求項２１に記載の吸収性衣類。
【請求項２９】
ウェスト開口と第１及び第２の脚開口とを定め、前記第１及び第２の脚開口が曲線状の切取り部により形成されるシャーシと、
それぞれが第１の部分と、第２の部分と、該第１の部分と該第２の部分との間の結合部分とを有する少なくとも２つの曲線状の脚部カフスと、
を備え、
前記シャーシが、少なくとも液体透過性身体側ライナーと、吸収層と、ほぼ液体不透過性の外側カバー層とを含み、
各曲線状の脚カフスの前記結合部分が、前記曲線状の切取り部の１つの周縁において、伸張した位置で前記シャーシに作動的に取付けられており、各脚カフスの前記第２の部分が、前記シャーシから突出していることを特徴とする吸収性衣類。
【請求項３０】
各曲線状の脚部カフスの前記結合部分が、外側カバー層に結合されていることを特徴とする、請求項２９に記載の吸収性衣類。
【請求項３１】
前記外側カバー層が、伸張可能な材料を含むことを特徴とする、請求項２９に記載の吸収性衣類。
【請求項３２】
各曲線状の脚部カフスの前記結合部分が、前記身体側ライナーに結合されていることを特徴とする、請求項２９に記載の吸収性衣類。
【請求項３３】
前記身体側ライナーが、伸張可能な材料を含むことを特徴とする、請求項３２に記載の吸収性衣類。
【請求項３４】
各曲線状の脚部カフスの前記第２の部分が、巻込み縁を含むことを特徴とする、請求項２９に記載の吸収性衣類。
【発明の詳細な説明】
【０００１】
（技術分野）
本発明は、美学的に見て美しく、かつ十分に機能的な脚部カフスを有するパンツ型のパーソナルケア吸収性衣類に関する。脚部カフスは曲線状であり、それによりガスケット効果を生成している。
【０００２】
（背景技術）
乳幼児のおむつ、水着及びトレーニングパンツ並びに、成人失禁用衣類のようなパンツ型の吸収性衣類は、通常、各脚開口周りに弾性部分を有する一対の脚開口を含む。この弾性部分は、着用者の脚周りにぴったりと適合して、衣類からの漏れを防止するように意図されている。
【０００３】
脚開口に従来の弾性化された縁及び従来の障壁フラップ配列を組み込む物品は、しかしながら、様々な欠点を呈していた。例えば、着用者の皮膚に跡が残ることを回避すること、また、物品が着用されている際に脚開口の所望のガスケッチングを維持することは困難である。脚開口がエラストマー材料又は他の弾性化材料で取付けられている場合でさえ、脚開口と着用者の体との間の接触を維持して尿及び便を効果的に収容することは、これまでずっと困難であった。結果として、吸収性物品の脚領域における改善された収容構造に対する継続的ニーズがこれまでずっとある。
【０００４】
美学的に美しく、漏れ防御性に優れ、衣類の最上層下に別個に脚用弾性体を取付ける必要の無い、快適で、ガスケット型の脚開口を有する吸収性衣類に対するニーズ又は要望がある。
【０００５】
（発明の開示）
本発明は、快適で、可撓性の、美学的に美しい脚開口をもたらす曲線状の脚部カフスを有する、トレーニングパンツ、水着、おむつ、失禁用衣類又は類似の吸収性媒体のようなパンツ型吸収性衣類に関する。更に、結果として得られる脚開口は、それぞれ体に適合し、ガスケットを提供する突出した弾性部分を有する。脚開口周りの体型に合わせた形状によって、着用者の脚周りの適合を高め、衣類の最上層の下に別個に脚弾性体を付ける必要が無い。
【０００６】
複合弾性材料又は弾性体のリボンである弾性バンドは、使い捨てパンツの脚開口領域に適用されて、脚領域全体の周りに、優れた適合性、美しさ、及び漏れ防止性能をもたらすことができる。これは、脚開口全体の周りに熱結合又は接着線結合、或いは分散結合で弾性リボンを取付けることによって達成される。この結合領域は、弾性バンドの中心からはずれており、弾性材料は、該弾性体に張力を与えるために貼り付ける前に伸張されるか、又は、該弾性材料は、活性化工程を通して弾性化される。弾性バンドが結合領域にギャザーを形成する場合、弾性バンドは、自然に脚開口の方向に移動することになる。この方向は、できるだけ小さい円でギャザーが形成されることにより、弾性体が弛緩した状態に達するための最小抵抗の経路であるので、弾性体はこの方向に移動する。
【０００７】
結果として得られる製品は、脚開口周りに洗練された外観を持つ、快適な、体に適合した脚開口を有する吸収性衣類である。本発明は、曲線状のスタンド型脚部カフスを包含する。
【０００８】
前述のことを念頭において、曲線状の脚部カフスを有する吸収性衣類を提供することは、本発明の特徴及び利点である。
【０００９】
ガスケット型脚開口を有する吸収性衣類を提供することは、本発明の別の特徴及び利点である。
【００１０】
快適で美学的に美しい脚開口を有する吸収性衣類を提供することは、本発明の更に別の特徴及び利点である。
【００１１】
定義
本明細書の内容において、下記の各用語又は語句は、以下の意味又は複数の意味を含む。
【００１２】
「結合された」とは、２つの要素を接合する、接着する、連結する、付着するなどをいう。２つの要素は、それらが直接的に互いに結合されている場合、又は、各々が中間要素に直接的に結合されている場合のように、間接的に互いに結合されている場合に、互いに結合されているとみなされる。
【００１３】
「曲線状の」とは、少なくともその一部分が曲線状の、例えば少なくとも３０°にわたる曲率半径及び円弧を有する、開口、バンド、フラップ又は縁をいう。開口、バンド、フラップ又は縁は、少なくとも９０°を超えた曲線状であるのが好ましく、少なくとも１８０°を越えた曲線状であるのが更に好ましい。
【００１４】
「使い捨ての」とは、再使用するために洗濯又は別の方法で回復されるのではなく、限定された使用後に廃棄されるように設計された物品をいう。
【００１５】
「弾性の」、「弾性化された」、「弾性」とは、変形を引き起こす力を除いた後、元のサイズ及び形状に戻る傾向がある材料又は複合材の特性を意味する。
【００１６】
「エラストマーの」とは、弛緩時の長さの少なくとも２５パーセントまで伸長されることができ、印加された力が解放されると、その伸長の少なくとも１０パーセントまで戻る材料又は複合材をいう。一般に、エラストラマー材料又はエラストマー複合材は、弛緩時の長さの少なくとも１００パーセント、より好ましくは少なくとも３００パーセントまで伸長することができ、印加された力が解放されると、その伸長の少なくとも５０パーセントまで戻ることができるのが好ましい。
【００１７】
「フィルム」とは、キャストフィルム又はブローフィルム押出工程のようなフィルム押出工程及び／又は発泡工程を用いて作られた熱可塑性フィルムをいう。この用語は、液体透過性フィルム並びに液体非透過性フィルムを構成する穿孔されたフィルム、スリットの入ったフィルムその他の多孔性フィルムを含む。また、この用語は、連続気泡発泡体として存在するフィルムなどの材料を含む。
【００１８】
「親水性の」とは、繊維と接触する水性液により湿潤される繊維又は繊維表面を表す。次に、材料の湿潤度は、関係する液体と材料の接触角及び表面張力によって表すことができる。特定の繊維材料又は繊維材料の混合物の湿潤性を測定するのに好適な装置及び技術は、Ｃａｈｎ  ＳＦＡ−２２２表面張力分析器システム、又はこれと実質的に同等なシステムにより提供されることができる。このシステムで測定する場合、９０度より小さい接触角を有する繊維は「湿潤性」即ち親水性を示し、９０度より大きい接触角を有する繊維は「非湿潤性」即ち疎水性を示す。
【００１９】
単数で使用される場合の「層」は、単一の要素又は複数の要素の２つの意味を有することができる。
【００２０】
「脚部カフス」は、材料幅の一部分が取り付けられておらず、基材に対して自由に動くように弾性材料の長さに沿って基材に取り付けたれた脚弾性体をいう。
【００２１】
「脚弾性体」は、着用者の脚を受ける衣類開口に隣接する、弾性バンド、ストランド、フィルム、リボン、複合材、フィラメント、フィラメントの束等を含む。
【００２２】
「液体不透過性」が単層又は多層ラミネートを説明する際に使用される場合は、通常の使用条件の下では液体と接触する点において、尿などのような液体は、層又はラミネートの平面にほぼ垂直の方向には層又はラミネートを透過しないことを意味する。液体又は尿は、液体不透過性の層又はラミネートの平面に沿って平行に広がるか又は移送されることができるが、これは、此処で使用する場合、「液体不透過性」の意味の範囲内であるとはみなされない。
【００２３】
「液体透過性材料」又は「液体透水性材料」は、フィルム、不織布、又は連続気泡発泡体等のような１つ又はそれ以上の層内に存在する材料のことをいい、多孔性であり、且つ水及びその他の水性液体が孔を通過して流れることから透水性である。フィルム又は発泡体の孔、或いは不織ウェブ中の繊維又はフィラメント間の空隙内は、液体水が材料を通過して漏れて流出することができるのに十分な大きさ及び頻度を有する。
【００２４】
「縦方向の」及び「横方向の」は、図８に描かれた縦軸及び横軸で示されるように、通常の意味を有する。縦軸は、物品の平面内にあり、物品を着用したときに直立した着用者を体の左半分及び右半分に二分する垂直平面にほぼ平行である。横軸は、縦軸にほぼ垂直な物品の平面内にある。図示した物品は、横方向よりも縦方向に長い。
【００２５】
「メルトブローン繊維」は、微細且つ通常は円形の複数のダイスフラフ管を通して、溶融熱可塑性材料を溶融糸即ちフィラメントとして、収束する高速の加熱気流（例えば、空気）内に押し出すことにより形成される繊維を意味し、該気流が、溶融熱可塑性材料のフィラメントを減衰させて、それらの直径をミクロ繊維の直径にまで細くすることができる。その後、メルトブローン繊維は高速気流により運ばれて、捕集面上に堆積されて不規則に分散したメルトブローン繊維のウェブを形成する。このような方法は、例えば、Ｂｕｔｉｎらに付与された米国特許第３，８４９，２４１号に開示されている。メルトブローン繊維は、連続又は不連続いずれとすることもできるミクロ繊維であり、一般的に約０．６デニールより小さく、捕集表面上に堆積すると一般に粘着性を持つ。本発明で使用されるメルトブローン繊維は、長手方向において実質的に連続であるのが好ましい。
【００２６】
「不織布」及び「不織ウェブ」とは、織物工程又は編物工程の援助なしに形成される材料及び材料のウェブをいう。
【００２７】
「外方に突出する部分」とは、約３０から約１５０度の範囲、更に好ましくは約６０から約１２０度の範囲の角度で部材の別の部分から離れて突出する、フラップ、リボン、ストランド又は他の部材をいう。
【００２８】
「剥がし力」及び「剥がし歪力」は、２つの隣接する本体を、本体が結合された平面にほぼ垂直で反対方向に互いから引き離そうとする力をいう。
【００２９】
「ポリマー」は、限定ではないが、ホモポリマー、例えばブロック、グラフト、ランダム及び交互コポリマーのようなコポリマー、ターポリマー等及びそれらの混合物及び変成物を含む。更に、別途特に限定されない限り、用語「ポリマー」は、材料のすべての可能な幾何学的配列を含むものとする。これらの配列は、限定ではないが、アイソタクチック、シンジオタクチック及びアタクチック対称を含む。
【００３０】
「剪断歪力」は、２つの本体の平面間に、対向するが平行したスライディング運動を生成しようとする力をいう。
【００３１】
「スパンボンド繊維」は、円形又は他の形状を有する紡糸口金の、複数の微細なフラフ管から溶融熱可塑性材料をフィラメントとして押し出し、次いで、押し出されたフィラメントの直径を急速に減少させることにより形成された直径の小さい繊維をいい、その方法は、例えば、Ａｐｐｅｌらに付与された米国特許第４，３４０，５６３号、Ｄｏｒｓｈｎｅｒらに付与された米国特許第３，６９２，６１８号、Ｍａｔｓｕｋｉらに付与された米国特許第３，８０２，８１７号、Ｋｉｎｎｅｙに付与された米国特許第３，３３８，９９２号及び３，３４１，３９４号、Ｈａｒｔｍａｎｎに付与された米国特許第３，５０２，７６３号、Ｐｅｔｅｒｓｅｎに付与された米国特許第３，５０２，５３８号及びＤｏｂｏらに付与された米国特許第３，５４２，６１５号に従い、上記特許の各々は引用により全体が本明細書に組み込まれる。スパンボンド繊維は、捕集面上に堆積される際に急冷され、一般に粘着性ではない。一般に、スパンボンド繊維は連続であり、約０．３より大きい平均デニールを有することが多く、より限定的には、約０．６と１０との間である。
【００３２】
「伸張可能な」とは、材料が破れることなく、少なくとも１方向に少なくとも５０％まで（その初期の（伸張されていない）長さの１５０％まで）、適切には少なくとも１００％まで（その初期の長さの２００％まで）、望ましくは少なくとも１５０％まで（その初期の長さの少なくとも２５０％まで）伸張されることのできる材料を意味する。
【００３３】
「表面」は、空気、気体及び／又は液体に対して透過性又は不透過性の、任意の層、フィルム、織物、不織布、ラミネート、複合材等を含む。
【００３４】
「張力」は、本体の伸張を引き起こそうとする一軸力又は伸張に抵抗するその本体内の釣り合い力を含む。
【００３５】
「熱可塑性」とは、熱に曝されると軟化し、室温まで冷却されると軟化していない状態に実質的に戻る材料を示す。
【００３６】
これらの用語は、本明細書の残りの部分において、付加的な言葉で定義されることができる。
【００３７】
（発明を実施するための最良の形態）
本発明は、曲線状の脚部カフスを有するパンツなどの吸収性衣類に関する。本発明に関し、曲線状の脚部カフスは、該脚部カフスの長手方向に沿って外方に突出する弾性部分と、脚部カフスの長手方向に沿って結合された弾性部分とを有する脚弾性体である。外方に突出する部分及び結合部分は両方とも、弾性体の単一の構成部品の一部である。結合部分は、基材に結合されている脚部カフスの一部分である。未結合部分は、結合部分からある角度をなして突出するか、又は脚部カフスの長手方向に沿った折り曲げ部を介して、結合部分に並行して位置することができる。未結合部分は、衣類が弛緩した状態にある時の内部張力に対して、結合部分よりも大きな自由度を有するが、それは、結合部分が伸張した状態で基材に結合され、その結果、結合部分が基材によってその動きを抑制されるようになるという事実に起因する。脚部カフスの長手方向における動きの自由度が不均衡であることによって、脚部カフスの湾曲が生じる。動きの自由度が不均衡であることによって生じる湾曲に加え、結合部分は、基材の曲線状の切取り部の周辺に沿って基材に結合されている。結合部分の曲線状の形状により、脚部カフスの湾曲が大きくなる。
【００３８】
本発明の原理は、どのような適切な使い捨て吸収性物品にも組み込むことができる。そのような適切な物品の実施例には、おむつ、トレーニングパンツ、女性用衛生製品、失禁用製品、他のパーソナルケア又はヘルスケア衣類等を含む。此処で使用されるように、用語「失禁用製品」は、子供用吸収性下着、身体障害による膀胱／腸制御の問題を持つ自閉症児その他のような特別なニーズを有する子供又は比較的若い成人向けの吸収性衣類、並びに失禁高齢者用吸収性衣類を含む。説明を容易にするため、以下の記述は、子供のトレーニングパンツに関する。
【００３９】
図１を参照すると、トレーニングパンツ２０のような使い捨て吸収性物品が、固定された状態で示されている。脚部カフス１０が、漏れを低減又は防ぐためにトレーニングパンツ２０の脚開口１２の周りに使用されている。主シャーシ１４が、脚開口１２およびウェスト開口１３を定める。本発明におけるように、脚部カフス１０が曲線状である場合、脚部カフス１０は、直線縁の脚弾性体よりも体により適合する。用語「直線縁の脚弾性体」とは、外方へ突出する部分を有さず、その全長にわたって全体的に基材の直線縁に結合された一般的な脚弾性体をいう。更に、本発明の曲線状の脚部カフス１０は、ガスケットを作り出している。用語「ガスケット」とは、衣類と着用者の脚との間で、脚開口周りの液体漏れをブロックするために使用されるデバイスである。結果として、脚開口１２は、直線縁の脚弾性体が耐える必要があった主シャーシ１４からの力に対して、耐える必要がないので、低い張力でギャザーが寄せられることになる。低い張力及び体への良好な適合性の結果として、吸収性衣類２０の快適性が向上する。更に、曲線状の脚部カフス１０は、主シャーシ１４に取り付けられて、その結果美しい外観をもたらす、洗練された継ぎ目１６を有する。
【００４０】
図２に示す基材４０は、通常、吸収性衣類２０（図１）のライナー４２又は外側カバー４４である。図２に示すように、基材４０は、少なくとも１つの縁４６に沿って曲線状の切取り部を有するのが好ましい。用語「曲線状の切取り部」は、切取って切取り部を形成する単一の材料、又は共に結合されて切取り形状を形成する複数の材料を含むことができる、曲線状の縁を有する任意の切取り部をいう。脚部カフス１０が基材に結合されている結合領域５４は、脚領域の曲線状の切取り形状におおよそ並行である。結合領域５４の並行する経路は、製品の中心部に向かい、脚開口に比較してより大きい半径に結合領域５４を置いている。より大きい半径によって、パンツとして使用中、脚部カフス１０を脚開口の中心へギャザーを寄せ、それにより、脚部カフス１０が製品中で最も弛んだ状態まで縮むことを可能にしている。脚部カフス１０が基材に結合される前に、曲線状の切取り部は、図２に示すように、脚部カフス１０上の結合領域と位置合わせされる。結果として、脚部カフス１０の第１の部分３８は、曲線状の切取り部に隣接する縁に沿って基材４０に結合されている。基材４０は、伸張可能であり、それにより優れた可撓性をもたらし、且つ脚部カフス１０へ低い張力を適用することができるのが好ましい。
【００４１】
結果として、脚部カフス１０の各々の第１の部分３８は、曲線状の切取り部の各々に隣接する縁に沿って基材４０に結合されている。各脚部カフス１０の第２の部分３９は、基材４０から上方に突出しており、以下に説明するように、後で衣類２０が使用される時に、ガスケットとしての機能を果たす。基材４０は連続する長尺物とすることができ、その場合、基材４０は、結合工程に続いて各衣類２０用に個々の部片に裁断される。
【００４２】
図３は、基材４０、この場合外カバー４４に結合された一対の曲線状の脚部カフス１０を有する吸収性衣類２０の正面図である。曲線状の脚部カフスの各々は、連続的に又は同時に基材４０に結合することができる。
【００４３】
図４は、「Ｊ」形状を形成する巻込み縁５８を有する曲線状の脚部カフス１０を示す吸収性衣類２０の正面図である。巻込み縁５８は、更により洗練された外観に加え、脚開口１２周りに優れた強度及び補強をもたらす。図５、６及び７もまた、巻込み縁５８を示す。巻込み縁５８は、巻込みのない縁の２倍の量の弾性を有し、従って、２倍の張力及びガスケット力を有する。追加の弾性体のストランド６０が、図５、６及び７に示すように、巻込み縁５８の折り曲げ部に配置され、脚部カフス１０のより小さい円周へのより優れたギャザーを生成して、より良い弾性体ガスケットを提供することができる。追加の弾性体のストランド６０は、１９８９年３月２８日にＰｏｍｐｌｕｍらに付与された米国特許第４，８１６，０９４号において教示されているように、熱活性化可能である弾性体ベースの材料であるのが適切であり、該特許は引用により本明細書に組み込まれる。巻込み縁５８は、接着結合、超音波結合、熱結合又は機械結合を含む、任意の適切な手段により結合されることができる。図７に示す、脚部カフス１０と基材４０を接合している、結果として生じた継ぎ目１６は、基材４０の縁及び脚部カフス１０の第１の部分の両方が継ぎ目１６の片側から見えないので、洗練された外観を有している。
【００４４】
脚部カフス１０の第１の部分３８は、上述のように、超音波結合、又は接着結合、熱結合、ステッチ結合その他の従来の方法を含む様々な他の方法により、基材４０に結合されることができる。適切な接着剤は、噴霧接着剤、ホットメルト接着剤、自動接着性エラストマー材料等を含む。
【００４５】
脚部カフス１０が基材４０に結合されると、図２に示される縁５０及び５１は、縁５２及び５３にそれぞれ結合されて、図１に示す衣類２０を形成することができる。衣類２０が形成されると、脚部カフス１０の第２の部分３９が衣類表面から突出する。使用中、脚部カフス１０の第２の部分３９が着用者の皮膚に堅固にしっかりと係合し、それにより衣類２０の開口を介した漏れを低減又は防止するガスケットとしての機能を果たす。
【００４６】
図８を参照すると、図１の吸収性衣類２０が、部分的に分解されて伸張した平坦な状態で、衣類が着用された際に着用者に面する表面を示している。また、吸収性シャーシ１４は、脚開口１２及びウェスト開口１３（図１）を定めることに加え、横方向に対向する一対の側縁１３６と、前部ウェスト縁１３８及び後部ウェスト縁１３９を表す、縦方向に対向する一対のウェスト縁とを定める。また、シャーシ１４は、やや矩形の形をした複合構造体１３３と、横方向に対向する一対の前部サイドパネル１３４、及び横方向に対向する一対の後部サイドパネル２３４とを含む。複合構造体１３３と、サイドパネル１３４及び２３４とは、図２に示すように、一体的に形成されるか、又は図１及び図８に示すように、２つ又はそれ以上の別個の要素を含むことができる。
【００４７】
図示された複合構造体１３３は、外側カバー４４と、重ね合わせの関係で外側カバーに結合された身体側ライナー４２と、外側カバー４４と身体側ライナー４２との間に配置された吸収組立体１４４とを含む。矩形複合構造体１３３は、前部及び後部ウェスト縁１３８及び１３９の一部分を形成する、対向する直線状端縁１４５と、吸収性シャーシ１４の側縁１３６の一部分を形成する、対向する直線状又は曲線状の側縁１４７とを有する。一般に、脚開口１２（図１）は、横方向に対向する側縁１３６の部分により定められる。参考のため、トレーニングパンツ２０の縦軸及び横軸それぞれの方向を示す矢印４８及び４９を図８に示す。
【００４８】
液体透過性身体側ライナー４２は、外側カバー４４及び吸収組立体１４４（図８）の上に横たわった状態で示されているが、外側カバー４４と同様の寸法を有する必要はない。身体側ライナー４２は、従順で、感触が柔らかく、且つ子供の皮膚に対し非刺激性であるのが好ましい。更に、身体側ライナー４２は、着用者に比較的乾いた表面を提供し、液体が直ちにその厚みを透過できるように、吸収組立体１４４よりも低い親水性とすることができる。
【００４９】
吸収組立体１４４（図８）は、外側カバー４４と身体側ライナー４２との間に配置されており、該組立体の構成要素は、当技術分野で良く知られた、接着剤のような、任意の適切な手段で互いに接合することができる。吸収組立体１４４は、一般的に圧縮性の、快適な、子供の皮膚に対し非刺激性の構造であり、液体及び特定の体内老廃物を吸収かつ保持できるものとすることができる。吸収組立体１４４は、当技術分野でよく使用される広範な種々の液体吸収性材料から広範な種々のサイズ及び形状で製造することができる。例えば、吸収組立体１４４は、好適には、高吸収性材料として一般に知られる高い吸収性の材料の粒子を混合した、セルロースフラフのウェブのような親水性繊維のマトリックスを含むことができる。特定の実施形態において、吸収組立体１４４は、木材パルプフラフのようなセルロースフラフのマトリックス、及び高吸収性ヒドロゲル形成粒子を含む。木材パルプフラフは、合成、重合体、メルトブローン繊維と、又はメルトブローン繊維と天然繊維の組合せと交換可能とすることができる。高吸収性粒子は、親水性繊維と実質的に均一に混合するか、又は不均一に混合することができる。また、フラフ及び高吸収性粒子は、身体滲出物をより良く収容及び吸収するために、吸収組立体１４４の所望の区域に選択的に配置することができる。また、高吸収性粒子の濃度は、吸収組立体１４４の厚みによって変えることができる。或いは、吸収組立体１４４は、繊維質ウェブのラミネートと、高吸収性材料、又は局部的領域に高吸収性材料を維持する他の適切な手段とを含むことができる。吸収組立体１４４に好適な別の形式の吸収性材料は、米国特許第４，１００，３２４号に記載されているような、短繊維とメルトブローン繊維との混合物であるコフォームであり、該特許は、引用により本明細書に組み込まれる。短繊維のメルトブローン繊維に対する重量比は、３０（ステープル）／７０（メルトブローン）と９０（ステープル）／１０（メルトブローン）との間の範囲とすることができる。木材パルプ繊維は、短繊維に対して好ましく、ポリプロピレンがメルトブローン繊維に対して好ましい。高吸収性材料は、吸収力を高めるためにコフォームに添加されることができる。
【００５０】
適切な高吸収性材料は、天然、合成、及び修飾天然ポリマー及び材料から選択することができる。高吸収性材料は、シリカゲルのような無機材料でもよく、又は架橋ポリマーのような有機化合物とすることもできる。好適な高吸収性材料は、アメリカ合衆国ミシガン州 ＭｉｄｌａｎｄにあるＤｏｗ  Ｃｈｅｍｉｃａｌ  Ｃｏｍｐａｎｙ、及びドイツ連邦共和国、Ｄ−４７８０５  ＫｒｅｆｅｌｄにあるＳｔｏｃｋａｕｓｅｎ  ＧｍｂＨ  ＆  Ｃｏ．ＫＧのような様々な供給メーカーから入手可能である。通常、高吸収性材料は、水中で少なくともその重量の約１５倍を吸収することができ、水中でその重量の約２５倍より多い量を吸収することができるのが好ましい。
【００５１】
一実施形態において、吸収組立体１４４は、略矩形の形状であり、木材パルプフラフと高吸収性材料との混合物を含む。フラフの１つの好ましい種類は、アメリカ合衆国アラバマ州ＣｈｉｌｄｅｒｂｕｒｇのＵ．Ｓ．Ａｌｌｉａｎｃｅから入手可能な、ＣＲ１６５４の商標名で識別でき、これは、主に柔らかい木材繊維を含む漂白された高吸収性硫酸木材パルプである。原則として、高吸収性材料は、吸収組立体１４４中に、吸収組立体の総重量を基準として約０から約９０重量パーセントの量で存在する。吸収組立体１４４は、１立方メートル当たり約０．１０から約０．３５グラムまでの範囲内の密度を有するのが好適である。吸収組立体１４４は、吸収組立体の一体性及び／又は形状を維持する適切なティシュラップでラップ又は包含しても、或いはそうでなくともよい。
【００５２】
また、吸収性シャーシ１４は、主として吸収組立体１４４と互いに向かい合う表面に沿って液体を受け入れ、一時的に格納及び／又は移送するよう設計された他の材料を組み込み、それにより吸収組立体の吸収力を最大にすることができる。１つの適切な材料は、サージ層（図示せず）と呼ばれ、１平方メートル当たり約５０グラムの坪量を有する材料を含み、ＢＡＳＦ  Ｃｏｒｐｏｒａｔｉｏｎから市販されているポリエステルコア／ポリエチレンシースを含む６０パーセント３デニールの２成分繊維の均質混合物のスルーエア・ボンデッドカーデッドウェブ、及びアメリカ合衆国バージニア州ＰｏｒｔｓｍｏｕｔｈにあるＨｏｅｃｈｓｔ  Ｃｅｌａｎｅｓｅ  Ｃｏｒｐｏｒａｔｉｏｎから市販されている４０パーセント６デニールのポリエステル繊維を含む。
【００５３】
広範な種々の弾性材料が脚部カフス１０用に利用することができる。当業者には公知のように、適切な弾性材料には、天然ゴム、合成ゴム、又は押し出しポリウレタンフィルムのような熱可塑性エラストマーポリマーの等のシート、ストランド又はリボンが含まれる。適切な弾性材料の１つの特定の種類は、弾性サイドパネルに関して、以下に詳細に記述される伸張結合ラミネート（ＳＢＬ）である。
【００５４】
弾性材料は、弾性締め付け力を基材に与えるように、伸張して基材に接着するか、ギャザーを寄せた基材に接着するか、又は基材に接着し、次いで例えば熱を加えて弾性化即ち縮小させることができる。弾性材料を伸張しそれらを基材に接着する１つの方法が、１９８９年１１月２８日にＦｒｏｓｔらに付与された米国特許第４，８８３，５４９号に教示されており、該特許は、引用により本明細書中に組み込まれる。加熱縮小性弾性体が、１９８７年２月３日にＳａｌｌｅｅらに付与された米国特許第４，６４０，７２６号に教示されており、該特許は、引用により本明細書中に組み込まれる。１つの特定の実施形態において、例えば、脚部カフス１０は、ＬＹＣＲＡ（登録商標）の商標名で販売され、アメリカ合衆国デラウェア州ＷｉｌｍｉｎｇｔｏｎのＥ．Ｉ．  ＤｕＰｏｎｔ  ｄｅ  Ｎｅｍｏｕｒｓ  ａｎｄ  Ｃｏｍｐａｎｙから入手可能な、不織物の層間に接着剤で積層され、乾式紡糸され結合された複数の乾紡合体式多重フィラメント・スパンデックス・エラストマー・スレッドを含む。
【００５５】
脚部カフス１０の各々は、約０．５インチ（１ｃｍ）から約５インチ（１３ｃｍ）までの幅を有するのが好ましく、約１インチ（２．５ｃｍ）から約４インチ（１０ｃｍ）までが更に好ましく、約１．５インチ（４ｃｍ）から約２．５インチ（６ｃｍ）までが最も好ましい。脚部カフス１０の第２の部分３９は、約０．２５インチ（０．６ｃｍ）から約４インチ（１０ｃｍ）までの幅を有するのが好ましく、約０．５インチ（１ｃｍ）から約３インチ（７．５ｃｍ）までが更に好ましく、約１インチ（２．５ｃｍ）から約２インチ（５ｃｍ）までが最も好ましい。裁断装置３４で裁断された脚部カフス１０の長さは、脚開口１２の実質的に全周をカバーする必要がある。更に、脚部カフス１０の各々は、２５から３５０％の伸長を有するのが好ましく、約３０から２６０％が更に好ましく、約３５から２００％が最も好ましい。
【００５６】
脚部カフス１０が外側カバー４０に結合された場合、結合領域５４の幅は、おおよそ約１ｍｍから約２５ｍｍの間であり、約３ｍｍから約１２ｍｍの間が適切であり、約４ｍｍから約８ｍｍの間がより適切である。結合は、線結合、分散結合、多線結合、複数列分散結合か、又は接着性渦巻き噴霧又はメルトブローン噴霧のような連続パターン結合のいずれかで行うことができる。連続パターン結合は、噴霧に複数オリフィスを有する多連続パターンを含むことができる。線結合は、上述の定められた結合幅の範囲内の幅を有し、曲線状の脚部カフス１０の全長をカバーする。分散結合は、曲線状の脚部カフス１０の全長に沿って一列に配置され、各結合は、上述の結合幅の範囲内の幅を有する。分散結合は、線結合に比較して、外側カバーに取り付けられる弾性バンドにギャザーを寄せるための抵抗を弾性バンドにほとんど与えないために好適である。多線結合は、曲線状の脚部カフス１０の全長をカバーする押し出された接着剤の幾つかの線を含む。分散結合の複数列は、互いにオフセットしているか、又は並行とすることができ、曲線状の脚部カフス１０の全長をカバーすることができる。該結合は、外側カバーか又は身体側ライナーに対する表面結合であるのか好ましい。表面結合は、脚部カフス１０を取り付ける工程を簡素化する。更に、本発明の結合は、脚部カフス１０が自動的に反転して結合部を覆うために、視界から隠されている。該結合は、脚開口周りに発生する漏れを防ぐように水分不透過性であるのが好ましい。
【００５７】
結合領域５４は、図２に示すように、第１の部分３８と第２の部分３９との間の脚部カフス１０を本質的に分割する、第１の部分３８と第２の部分３９との間に、脚部カフス１０上で中心を離れて配置されるのが適切である。脚部カフス１０の結合領域５４を含めずに、第１の部分３８は、脚部カフス１０材料の約０％と約５０％との間を含み、第２の部分３９は、脚部カフス１０材料の約５０％から約１００％の間を含む。例えば、結合領域５４を含めずに、第１の部分３８は、脚部カフス１０材料の約２５％を含むことができ、第２の部分３９は、脚部カフス１０材料の約７５％を含むことができる。脚開口にギャザーを寄せてガスケットを提供するため、第１の部分３８と第２の部分３９の双方が、外側カバー及び身体側ライナー内のシャーシ材料の抵抗に打ち勝つように一体に働くので、結合領域５４の位置は重要である。
【００５８】
本発明の設計は、結合部にかかる応力が、剪断歪力ではなく剥がし歪力であるために、外側カバーの表面への脚部カフス１０結合の結合力に対して大きな要求を置く。剥がし歪力は、弾性体と着用者の両方によって結合部に与えられる張力により弾性体が滑って所定の位置からずれないようにするための弾性体と外側カバーとの間の一般的な歪力である。
【００５９】
熱活性型潜在的弾性体を平坦な塗布形態で使用する場合、脚部カフス１０に対して活性化工程が適用されるまで、図５に示すように、脚部カフス１０は、塗布される際ウェブ上で実質的に平坦に横たわっている。図６は、９０度塗布器で塗布された活性化前の熱活性型脚部カフス１０を示す。図７は、有効状態、即ち熱活性化後の脚部カフス１０を示す。脚部カフス１０は、できる限り小さい円周を作ろうと抵抗が最も少ない経路上にギャザーを形成する。従って、第１の部分３８と第２の部分３９は両方とも、脚開口の中心に向かってギャザーを形成する。結合領域５４は、シャーシ２よって制限され、該シャーシは、弾性結合領域５４がより小さい直径を作るのを防止する。非潜在弾性体と比較して、潜在脚部カフス１０は、図２に示すように、縁５０及び５１を縁５２及び５３とそれぞれ位置合わせするのをかなり容易にするのに役立つ。
【００６０】
基材４０は、外側カバー４４であるのが好ましく、ほぼ液体不透過性である材料を含むのが望ましく、且つ弾性の、伸張性又は非伸張性であるものとすることができる。外側カバー４４は、液体不透過性材料の単層とすることができるが、少なくとも１つが液体不透過性である多層ラミネート構造を含むのが望ましい。例えば、外側カバー４４は、ラミネート接着剤（図示せず）で共に接合されるのに好適な液体透過性外側層と液体不透過性内側層とを含むことができる。ビード、噴霧、並行渦巻等として連続して又は断続して塗布することができる、好適なラミネート接着剤は、アメリカ合衆国ウィスコンシン州ＷａｕｗａｔｏｓａのＦｉｎｄｌｅｙ  Ａｄｈｅｓｉｖｅｓ， Ｉｎｃ．，又はアメリカ合衆国ニュージャージー州ＢｒｉｄｇｅｗａｔｅｒのＮａｔｉｏｎａｌ  Ｓｔａｒｃｈ  ａｎｄ  Ｃｈｅｍｉｃａｌ  Ｃｏｍｐａｎｙから入手可能である。液体透過性外側層は、任意の適切な材料とすることができ、ほぼ布様の生地を提供する材料であるのが望ましい。このような材料の一実施例は、２０ｇｓｍ（１平方メートル当たりのグラム数）のスパンボンド・ポリプロピレン不織ウェブである。また、該外側層は、液体透過性身体側ライナー４２が作られる材料で作ることができる。外側層が液体透過性である必要はないが、外側層が着用者に比較的布様の生地を提供することが望ましい。
【００６１】
外側カバー４４の内側層は、液体及び気体の両方に対し不透過性とすることができるが、或いは液体不透過性で気体透過性とすることができる。該内側層は、また、他の可撓性の液体不透過性材料を使用することができるが、薄い可塑性フィルムで製造されるのが好ましい。内側層、又は単層の場合の液体不透過性外側カバー４４は、汚物によって着用者及び介護人のみならず、ベッドシーツ及び衣類のような物品を湿潤するのを防止する。液体不透過性内側層、又は単層液体不透過性外側カバー４４として使用するのに好適な液体不透過性フィルムは、アメリカ合衆国バージニア州Ｎｅｗｐｏｒｔ  ＮｅｗｓのＨｕｎｔｓｍａｎ  Ｐａｃｋａｇｉｎｇから市販されている０．０２ミリメートルのポリエチレンフィルムである。外側カバー４４が単層の材料である場合、より布様の外観をもたらすためにエンボス加工及び／又は艶消し加工を施すことができる。前述のように、液体不透過性材料は、蒸気を使い捨て吸収性物品の内部から逃がすことができると同時に、液体が外側カバー４４を通過するのを防ぐことができる。好適な「通気性」材料は、微小孔性ポリマーフィルム、又は所望のレベルの液体不透過性を付与するためにコーティング又は他の処理を施された不織布で構成される。好適な微小孔性フィルムは、日本国東京都のＭｉｔｓｕｉ  Ｔｏａｔｓｕ  Ｃｈｅｍｉｃａｌｓ  Ｉｎｃ．， から市販されているＰＭＰ−１フィルム材料、又はミネソタ州Ｍｉｎｅａｐｏｌｉｓの３Ｍ  Ｃｏｍｐａｎｙから市販されているＸＫＯ−８０４４ポリオレフィンフィルムである。
【００６２】
身体側ライナー４２は、合成繊維（例えば、ポリエステル繊維又はポリプロピレン繊維）、天然繊維（例えば、木材繊維又は綿繊維）、天然繊維と合成繊維の組合せ、多孔性発泡体、網状発泡体、有孔プラスチックフィルム等の、広範な選択肢のウェブ材料から製造することができる。様々な織物及び不織布が身体側ライナー４２用に使用されることができる。例えば、身体側ライナーは、ポリオレフィン繊維のメルトブローンウェブ又はスパンボンドウェブから構成されることができる。また、身体側ライナーは、天然繊維及び／又は合成繊維から構成されるボンデッドカーデッドウェブとすることもできる。身体側ライナーは、ほぼ疎水性の材料から構成されることができ、この疎水性材料は、任意選択的に、所望のレベルの湿潤性及び親水性を付与するために界面活性剤で処理するか又は別の方法で処理することができる。例えば、該材料は、Ｔｒｉｔｏｎ  Ｘ−１０２の商品名で、Ｒｏｈｍ  ａｎｄ  Ｈａａｓ  Ｃｏ．から市販されている約０．２８重量パーセントの界面活性剤で表面処理を施すことができる。界面活性剤は、噴霧、焼付け、ブラシコーティング等の任意の従来の手段により塗布することができる。界面活性剤は、身体側ライナー４２全体に塗布されるか、又は縦中心線に沿った医療区域のような身体側ライナーの特定区域に選択的に塗布されることができる。
【００６３】
好適な液体透過性身体側ライナー４２は、約２７ｇｓｍの坪量を有する不織２成分ウェブである。不織２成分ウェブは、スパンボンド２成分ウェブ、又はボンデッドカーデッド２成分ウェブとすることができる。好適な２成分短繊維は、日本国大阪府のＣＨＩＳＳＯ  Ｃｏｒｐｏｒａｔｉｏｎから入手できるポリエチレン／ポリプロピレン２成分繊維を含む。この特定の２成分繊維においては、ポリプロピレンが繊維のコアを形成し、ポリエチレンが繊維のシースを形成する。多葉型、並列型、エンドツーエンド型等の他の繊維方向が可能である。外側カバー４４及び身体側ライナー４２が、エラストマー材料を含むことができると同時に、特定の実施形態において、望ましくは複合構造体は、ほぼ非弾性とすることができ、ここで、外側カバー、身体側ライナー及び吸収組立体は、ほぼ弾性体でない材料を含む。
【００６４】
前述のように、図示されたトレーニングパンツ２０は、吸収性シャーシ１４（図１及び図８）の各側に配置された前部及び後部サイドパネル１３４及び２３４を有することができる。これらの横方向に対向する前部サイドパネル１３４及び横方向に対向する後部サイドパネル２３４は、吸収性シャーシ１４の複合構造体１３３に永久的に結合されることができ、締結システム８０により開放可能に互いに取付けられる。より限定的には、図８に最も良く示されるように、前部サイドパネル１３４は、取付けライン６９に沿って複合構造体１３３の直線状側縁１４７に永久的に結合されて、該側縁から横方向に伸びることができ、後部サイドパネル２３４は、取付けライン６９に沿って複合構造体１３３の直線状側縁１４７に永久的に結合されて、該側縁から横方向に伸びることができる。サイドパネル１３４及び２３４は、接着剤、熱結合又は超音波結合のような当業者に公知の取付け手段を用いて取付けることができる。また、サイドパネル１３４及び２３４は、外側カバー４４又は身体側ライナー４２のような複合構造体１３３の構成要素の一部として形成されることができる。
【００６５】
サイドパネル１３４及び２３４の各々は、１つ又はそれ以上の別個の識別可能な材料部品を含むことができる。特定の実施形態において、例えば、各サイドパネル１３４及び２３４は、継ぎ目で接合された第１及び第２のサイドパネル部分を含むことができ、該部分の少なくとも１つは、エラストラマ−材料（図８参照）を含む。或いは、個々のサイドパネル１３４及び２３４の各々は、中間折り返し線（図示せず）に沿って該パネル自体の上に折り畳んだ単一の材料部品を含むことができる。
【００６６】
サイドパネル１３４及び２３４は、トレーニングパンツ２０の横軸４９にほぼ平行な方向に伸張可能な弾性材料を含むのが好ましい。特定の実施形態において、前部及び後部サイドパネル１３４及び２３４はそれぞれ、遠位縁６８と、前部センターパネル１３５又は後部センターパネル２３５との間に各々配置された、内側部分７８を含むことができる。図８に示される実施形態において、内側部分７８は、遠位縁６８と矩形複合構造体１３３の側縁１４７との間に配置されている。サイドパネル１３４及び２３４の弾性材料は、内側部分７８中に配置されて、サイドパネルに横軸４９とほぼ平行な方向に弾性を付与されることができる。各サイドパネル１３４及び２３４は、ウェスト端縁７２から脚端縁７０までが弾性であるのが最も好ましい。より限定的には、ウェスト端縁７２と脚端縁７０との間から横軸４９と平行に取られ、取付けライン６９から遠位縁６８間での長さ及び約２センチメートルの幅を有するサイドパネル材料の個々の試料は、すべて弾性である。
【００６７】
適切な弾性材料のほか、トレーニングパンツに弾性サイドパネルを組み込む１つの記述された工程は、以下の米国特許に記載されており、１９９０年７月１０日にＶａｎ  Ｇｏｍｐｅｌらに付与された米国特許第４，９４０，４６４号、１９９３年７月６日にＰｏｈｊｏｌａに付与された米国特許第５，２２４，４０５号、１９９２年４月１４日にＰｏｈｊｏｌａに付与された米国特許第５，１０４，１１６号、及び１９９１年９月１０日にＶｏｇｔらに付与された米国特許第５，０４６，２７２号であり、これらは全て引用により本明細書中に組み込まれる。特定の実施形態において、弾性材料は、ストレッチサーマルラミネート（ＳＴＬ）、ネックボンデッドラミネート（ＮＢＬ），逆ネックドラミネート、又は伸張結合ラミネート（ＳＢＬ）材料を含む。このような材料をの製造方法は、当業者に公知であり、１９８７年５月５日にＷｉｓｎｅｓｋｉらに付与された米国特許第４，６６３，２２０号、１９９３年７月１３日にＭｏｒｍａｎに付与された米国特許第５，２２６，９９２号、及び１９８７年４月８日にＴａｙｌｏｒらの名前で公告された欧州特許出願第ＥＰ０２１７０３２号に記載されており、それらはすべて引用により本明細書中に組み込まれる。或いは、サイドパネル材料は、外側カバー４４又は身体側ライナー４２に好適とした上述の材料のような他の織物又は不織材料、又は伸張性であるが非弾性の材料を含むことができる。
【００６８】
吸収性シャーシ１４及び締結システム８０は共に、ウェスト開口１３及び一対の脚開口１２（図１）を有する再固締可能なパンツを形成する。締結システムが係合すると、再固締可能パンツが、ウェスト開口から各脚開口まで伸びる一対のエラストマー前部サイドパネル１３４と、ウェスト開口から各脚開口まで伸びる一対のエラストマー後部サイドパネル２３４と、ウェスト開口から各脚開口まで伸び、エラストマーの前部及び後部サイドパネル間に配置された一対の再固締可能継ぎ目８８（図１）と、一対のエラストマー前部サイドパネル１３４の間に配置されたエラストマー前部ウェストバンド１５４と、一対のエラストマー後部サイドパネル２３４の間に配置されたエラストマー後部ウェストバンド１５６と、及び各脚開口１２を取り囲む一対の曲線状の脚部カフス１０と、を含むことが理解できる。或いは、再固締可能継ぎ目８８の代わりに、本発明の吸収性衣類は、結合されたサイド継ぎ目を有することができる。
【００６９】
此処で説明されたように、トレーニングパンツ２０の様々な構成要素は、接着剤、音波結合及び熱結合又はそれらの組合せのような、種々の形式の好適な取付け手段を用いて互いに一体的に組み立てられることができる。結果として得られる製品は、快適で、ガスケットなどに適合し、及び脚開口１２周りに美学的に美しい洗練された外観を有する吸収性衣類２０である。パンツなどの吸収性衣類２０は、例えば、おむつ、トレーニングパンツ、水着、成人失禁用衣類等を含む広範な種々の用途の寸法にして作ることができる。また、本発明の曲線状の脚部カフス１０は、曲線状の漏れ防止フラップ用に使用することができる。
【００７０】
前述の実施形態の詳細は、説明のために与えられたものであり、本発明の範囲を制限するものではないことが理解されるであろう。本発明の幾つかの例示的な実施形態を詳細に上述したが、当業者は、本発明の新規な教示及び利点を実質的に逸脱することなく、例示的な実施形態において多くの変更形態が可能であることを容易に理解されるであろう。従って、すべてのこのような変更形態は、以下の請求項及びそれと同等のすべてのものにおいて定義される、本発明の範囲内に包含されることが意図されている。更に、多くの実施形態が、特定の実施形態、特に好ましい実施形態の利点のすべてを達成するものではないと考えることができ、更に、特定の利点の欠如により、このような実施形態が必ずしも本発明の範囲外にあると解釈されるべきではないことが認識される。
【図面の簡単な説明】
【図１】
吸収性衣類の斜視側面図である。
【図２】
基材に結合された、一対の隠れた曲線状の脚部カフスを示す、基材の平面図である。
【図３】
脚部カフスが基材に結合される方法を示す、吸収性衣類の正面図である。
【図４】
巻込み縁を有する脚部カフス部材を示す、吸収性衣類の正面図である。
【図５】
平坦活性化工程で用いる、未活性の、供給された脚部カフスの断面図である。
【図６】
９０度供給工程で用いる、未活性の、供給された脚部カフスの断面図である。
【図７】
活性化された、供給された脚部カフスの断面図である。
【図８】
一部を分解した、伸張された平坦な状態で、物品が着用される際に着用者に面する物品の表面を示し、下に横たわる特徴部分を示すために切り取った部分を有する、図１の吸収性衣類の平面図である。
【国際公開パンフレット】
2004520861.tif 000003
2004520861.tif 000004
2004520861.tif 000005
2004520861.tif 000006
2004520861.tif 000007
2004520861.tif 000008
2004520861.tif 000009
2004520861.tif 000010
2004520861.tif 000011
2004520861.tif 000012
2004520861.tif 000013
2004520861.tif 000014
2004520861.tif 000015
2004520861.tif 000016
2004520861.tif 000017
2004520861.tif 000018
2004520861.tif 000019
2004520861.tif 000020
2004520861.tif 000021
2004520861.tif 000022
2004520861.tif 000023
2004520861.tif 000024
2004520861.tif 000025
2004520861.tif 000026
2004520861.tif 000027
2004520861.tif 000028
2004520861.tif 000029
2004520861.tif 000030
2004520861.tif 000031
2004520861.tif 000032
【国際公開パンフレット（コレクトバージョン）】
2004520861.tif 000033
2004520861.tif 000034
【国際調査報告】
2004520861.tif 000035
2004520861.tif 000036
2004520861.tif 000037
2004520861.tif 000038
2004520861.tif 000039
2004520861.tif 000040